(57)【要約】【課題】簡素な構成で、通風路の通路面積を調整できる空気調和機の室内機を提供すること。【解決手段】吸込口（２ａ、２ｂ）から空気を吸込むファン６と、吸込口（２ａ、２ｂ）から吸込まれた空気と熱交換する熱交換器５と、熱交換器５により熱交換された空気が吹き出される吹出口２ｃと、ファン６の下流側に配置され、吹出口２ｃへと空気を導く通風路１０を形成するリアガイダ７、スタビライザ１１とを備え、前記スタビライザ１１および／または前記リアガイダ７には、スタビライザ回転部１１ａ、７ａが設けられており、スタビライザ回転部１１ａ、７ａの回転動作により、前記通風路１０の断面積が調整され、前記回転部（７ａ、１１ａ）縦断面形状は、略半円形状または略楕円形状である空気調和機の室内機。【選択図】図１
2019196866.tif 000002
【特許請求の範囲】
【請求項１】
吸込口と、
前記吸込口から空気を吸込むファンと、
前記ファンを駆動させるモータと、
前記吸込口から吸込まれた空気と熱交換する熱交換器と、
前記熱交換器により熱交換された空気が吹き出される吹出口と、
前記ファンの下流側に配置され、前記吹出口へと空気を導く通風路を形成するリアガイダ、スタビライザと、を備え、
前記スタビライザおよび／または前記リアガイダには、回転部が設けられており、
前記回転部の回転動作により、前記通風路の断面積が調整され、
前記回転部の縦断面形状は、略半円形状または略楕円形状であることを特徴とする空気調和機の室内機。
【請求項２】
前記通風路の断面積が最大の時に、前記回転部の前記通風路側の表面が、前記スタビライザおよび／または前記リアガイダの前記通風路側の表面の略延長線状にあることを特徴とする請求項１に記載の空気調和機の室内機。
【請求項３】
前記略半円形状の回転部の回転軸は、略半円の中心に位置していることを特徴とする請求項２に記載の空気調和機の室内機。
【発明の詳細な説明】
【技術分野】
【０００１】
本発明は、空気調和機の室内機に関するものである。
【背景技術】
【０００２】
従来、この種の空気調和機の室内機は、気流の通風抵抗を増やさずに空気の流れを整流し、バサツキ音（サージング）を抑制しているものである（例えば、特許文献１参照）。
【０００３】
特許文献１には、スタビライザとリアガイダで形成された吹き出し口を有する通風路を備え、リアガイダを、通風路の途中に設けた曲げ支点を中心に回転変形させて、通風路の通路面積を変えることができる構成が開示されている。
【先行技術文献】
【特許文献】
【０００４】
【特許文献１】特開２００８−００８５００号公報
【発明の概要】
【発明が解決しようとする課題】
【０００５】
しかしながら、前記従来の構成では、リアガイダやスタビライザを回転変形させる機構が具体的に開示されていない。
【０００６】
本発明は、上記従来の課題を解決するもので、簡素な構成で、通風路の通路面積を調整できる空気調和機の室内機を提供することを目的とする。
【課題を解決するための手段】
【０００７】
前記目的を達成するために、本発明の空気調和機は、吸込口と、前記吸込口から空気を吸込むファンと、前記ファンを駆動させるモータと、前記吸込口から吸込まれた空気と熱交換する熱交換器と、前記熱交換器により熱交換された空気が吹き出される吹出口と、前記ファンの下流側に配置され、前記吹出口へと空気を導く通風路を形成するリアガイダ、スタビライザと、を備え、前記スタビライザおよび／または前記リアガイダには、回転部が設けられており、前記回転部の回転動作により、前記通風路の断面積が調整され、また、前記回転部の断面形状は、略半円形状または略楕円形状であることを特徴とする。
【０００８】
これにより、室内通風路を形成するスタビライザやリアガイダと通風路の通路面積を、回転部の回転度合いにより、簡単に変えることができる。
【発明の効果】
【０００９】
本発明によれば、簡素な構成で、通風路の通路面積を調整できる空気調和機の室内機を提供できる。
【図面の簡単な説明】
【００１０】
【図１】本発明の実施の形態１における回転部が回転動作前の空気調和機の室内機の断面図
【図２】同回転部が回転動作後の空気調和機の室内機の断面図
【図３】同回転部が回転動作後のスタビライザ及びリアガイダの拡大図
【図４】本発明の実施の形態１における他の回転部が回転動作前の空気調和機の室内機の断面図
【図５】同回転部が回転動作後のスタビライザ及びリアガイダの拡大図
【発明を実施するための形態】
【００１１】
第１の発明は、吸込口と、前記吸込口から空気を吸込むファンと、前記ファンを駆動させるモータと、前記吸込口から吸込まれた空気と熱交換する熱交換器と、前記熱交換器により熱交換された空気が吹き出される吹出口と、前記ファンの下流側に配置され、前記吹出口へと空気を導く通風路を形成するリアガイダ、スタビライザと、を備え、前記スタビライザおよび／または前記リアガイダには、回転部が設けられており、前記回転部の回転動作により、前記通風路の断面積が調整され、前記回転部の断面形状は、略半円形状または略楕円形状であることを特徴とする空気調和機の室内機である。
【００１２】
これにより、スタビライザおよび／またはリアガイダに設けられている回転部が、回転することにより、通風路の通路面積を変えることができる。また、静圧を上昇させて流れ場を安定させることにより、バサバサという断続的異常音及び逆流による露付・滴下を防止することができる。
【００１３】
第２の発明は、特に、第１の発明において、前記通風路の断面積が最大の時に、前記回転部の前記通風路側の表面が、前記スタビライザおよび／または前記リアガイダの前記通風路側の表面の略延長線状にあることを特徴とするものである。
【００１４】
これにより、回転部が回転する前には、回転部の通風路側の表面と、リアガイダまたはスタビライザの通風路側の表面とが略同一高さに位置していることで、通風路の通路面積が最大になり、気流に対する流路抵抗を最小限にすることができる。
【００１５】
第３の発明は、特に、第２の発明において、前記略半円形状の回転部の回転軸は、略半円の中心に位置していることを特徴とするものである。
【００１６】
これにより、通風路の断面積が最大の時に、回転部の略半円部を、リアガイダまたはスタビライザに収納させる凹部の深さを最小限にできるので、簡素な構成が実現できる。
【００１７】
以下、本発明の実施の形態について、図面を参照しながら説明する。なお、この実施の形態によって本発明が限定されるものではない。
【００１８】
（実施の形態１）
本発明の実施の形態１の空気調和機は、室内機と室外機が冷媒配管及び制御配線等により互いに接続された、いわゆるセパレート型の空気調和機である。室内機と室外機によりヒートポンプが構成されており、室外機にはコンプレッサ（図示せず）が設けられている。実施の形態１の空気調和機における室内機は、室内の壁面に取り付ける壁掛け式室内機である。
【００１９】
図１は、本実施の形態１の空気調和機の運転時において、室内機のスタビライザおよび／またはリアガイダに設けられている回転部が回転していない状態の概略構成を示す縦断面図である。図２は、同空気調和機における回転部が回転した状態での概略構成を示す縦断面図である。
【００２０】
室内機１は、空気の吸込口となる前面開口部２ａと上面開口部２ｂ、および熱交換された空気を吹き出す吹出口２ｃとを有する本体２、及び前面パネル３を備えている。
【００２１】
本体２の内部には、室内空気に含まれる塵埃を除去するためのフィルタ４と、取り入れた室内空気を熱交換する熱交換器５と、前面開口部２ａ及び上面開口部２ｂからフィルタ４を通して取り入れた室内空気を熱交換器５で熱交換して、吹出口２ｃから室内に吹き出すための気流を発生させる貫流ファンであるファン６と、ファン６を駆動さえるモータ（図示せず）と、が設けられている。
【００２２】
また、室内機１の本体２において、ファン６の下流側から吹出口２ｃの上流側に至る通風路１０は、ファン６の下流側に配置されて空気の流れを案内するリアガイダ７と、このリアガイダ７に対向して配置されたスタビライザ１１と、本体２の両側壁（図示せず）とで形成されている。
【００２３】
本実施の形態１の空気調和機において熱交換した空気を室内に吹き出すための吹出口２ｃには、吹出口２ｃを開閉するとともに、空気の吹き出し方向を上下方向に変更することができる上下風向変更手段である上下風向変更羽根８が設けられている。
【００２４】
吹出口２ｃの内部または上下風向変更羽根８周りの空気の吹き出し方向を左右に変更することができる左右風向変更手段である左右風向変更羽根９が設けられている。
【００２５】
さらに、リアガイダ７及びスタビライザ１１の吹き出し側の一部に、それぞれ回転動作を行う可動部であるリアガイダ回転部７ａ及びスタビライザ回転部１１ａが設けられている。モータ（図示せず）と、この２つのリアガイダ回転部７ａ、スタビライザ回転部１１ａのリアガイダ側回転軸７ｃ、スタビライザ側回転軸１１ｃと連結していることで、回転動作を駆動している。
【００２６】
リアガイダ回転部７ａ及びスタビライザ回転部１１ａは、正面から見れば室内機と略同一幅で、側面の断面は略半円または略楕円状に形成されており、この構成により、リアガイダ回転部７ａ、スタビライザ回転部１１ａを回転させることで、通風路１０の断面積を調整できる。
【００２７】
リアガイダ回転部７ａ及びスタビライザ回転部１１ａは、ファン６の回転数に対応してそれぞれ可動する。なお、制御装置（図示せず）において、ファン６の各回転数に対応して、リアガイダ回転部７ａ及びスタビライザ回転部１１ａの回転角度が予め設定されている。
【００２８】
そして、制御装置（図示せず）は、ファン６の回転数に対して、予め設定されている回転角度となるように、リアガイダ回転部７ａ及びスタビライザ回転部１１ａを回転させる。
【００２９】
詳細には、ファン６の回転数が小さくなるにつれて、リアガイダ回転部７ａ及びスタビライザ回転部１１ａの回転角度が大きくなるように、ファン６の各回転数に対応して回転角度が予め設定されている。
【００３０】
まず、図１に示すように、リアガイダ回転部７ａ及びスタビライザ回転部１１ａが回転する前に、リアガイダ回転部７ａ及びスタビライザ回転部１１ａの通風路１０側の表面が、リアガイダ７とスタビライザ１１の通風路１０側の表面の略延長線状にあるため、通風路１０の断面積が最大のままに保つことができる。
【００３１】
次、リアガイダ回転部７ａ及びスタビライザ回転部１１ａを回転させて、リアガイダ７とスタビライザ１１の外表面から突出させ、通風路１０の断面積もこの動作により変化する。
【００３２】
図２に示すように、リアガイダ回転部７ａ及びスタビライザ回転部１１ａが回転して、それぞれ、リアガイダ７とスタビライザ１１の表面から突出して、突起により通風路１０の断面積が小さくなることに調整されている。
【００３３】
リアガイダ回転部７ａ、スタビライザ回転部１１ａにより、通風路１０を縮小させて静圧を向上させ、安定した流れ場を形成し、量が小さく、フィルタ４にゴミ・埃が堆積したときに、バサバサという断続的異常音が発生する時に、断続的異常音の発生を防止することができる、さらに、安定した流れ場を形成し、逆流を抑制して露付き・滴下を防止することができる。
【００３４】
なお、リアガイダ７とスタビライザ１１に、それぞれ、リアガイダ回転部７ａ及びスタビライザ回転部１１ａを設けても良いし、どちらか片方だけに設けても良い。
【００３５】
次に、リアガイダ回転部７ａ及びスタビライザ回転部１１ａの、リアガイダ側回転軸７ｃ、スタビライザ側回転軸１１ｃについて説明する。
【００３６】
まず、図３に示すように、リアガイダ回転部７ａにおいて、リアガイダ側回転軸７ｃはモータ（図示せず）の回転軸と連結している。リアガイダ側回転軸７ｃは回転自在に支持され、通風路１０を拡大・縮小するように回転する。
【００３７】
また、スタビライザ回転部１１ａにおいて、スタビライザ側回転軸１１ｃはモータ（図示せず）の回転軸と連結している。スタビライザ側回転軸１１ｃは回転自在に支持され、通風路１０を拡大・縮小するように回転する。
【００３８】
図４に示すように、リアガイダ回転部７ａとスタビライザ回転部１１ａが回転する前に、リアガイダ回転部７ａとスタビライザ回転部１１ａが、リアガイダ７とスタビライザ１１から突出しないように収納する凹部を設け、リアガイダ回転部７ａとスタビライザ回転部１１ａが回転したときに、リアガイダ７とスタビライザ１１と干渉しないように、凹部を形成することで、この２つの回転部は前後自由に回転開始できる。
【００３９】
特に、リアガイダ回転部７ａとスタビライザ回転部１１ａが略半円形状で、リアガイダ側回転軸７ｃ、スタビライザ側回転軸１１ｃが、略半円の中心に位置していることで、この凹部の深さを最小限にできるため、簡素な構成が実現できる。
【００４０】
次ぎに、リアガイダ回転部７ａ及びスタビライザ回転部１１ａが、通風路１０を縮小するようにできる構成を、図５に基づいて説明する。
【００４１】
図５は、通風路１０の断面積を最小にし、つまり、リアガイダ回転部７ａおよびスタビライザ回転部１１ａを回転させた後の状態を示す図である。
【００４２】
図５に示すように、リアガイダ回転部７ａ、スタビライザ回転部１１ａを完全に回転した状態から、前後方向へ両方回転でき、素早く通風路１０の断面積を調整することができる。
【００４３】
以上より、本実施の形態２における空気調和機は、冷暖房運転時においてバサツキ音が発生した時に、スタビライザやリアガイダを変形させる事無く、通風路１０の通路面積を変えることで、バサツキ音の抑制や低騒音化を図ると共に、スタビライザやリアガイダの耐久性を向上させるものである。
【産業上の利用可能性】
【００４４】
以上のように、本発明にかかる空気調和機は、スタビライザやリアガイダに設けられている可動部を回転させることで、バサツキ音を抑制すると共に、スタビライザやリアガイダの耐久性を向上できるので、業務用及び一般家庭等で使用される空気調和機に有用である。
【符号の説明】
【００４５】
１  室内機（筐体）
２  本体
２ａ  前面開口部（吸込口）
２ｂ  上面開口部（吸込口）
２ｃ  吹出口
３  前面パネル
４  フィルタ
５  熱交換器
６  ファン
７  リアガイダ
７ａ  リアガイダ回転部
７ｃ  リアガイダ側回転軸
８  上下風向変更羽根
９  左右風向変更羽根
１０  通風路
１１  スタビライザ
１１ａ  スタビライザ回転部
１１ｃ  スタビライザ側回転軸
【図１】
2019196866.tif 000003
【図２】
2019196866.tif 000004
【図３】
2019196866.tif 000005
【図４】
2019196866.tif 000006
【図５】
2019196866.tif 000007